(57)【要約】【課題】本発明は、配送管理システムにおいて、セキュリティの向上に寄与することができる技術を提供する。【解決手段】車両に設けられ、ユーザが使用する端末からの要求に応じて所定領域を施解錠する施解錠装置と、荷物を配送するユーザが使用する端末であって、施解錠装置に対して所定領域の施解錠を要求する配送ユーザ端末と、荷物を配送するユーザが携行するウェアラブルデバイスであって、撮影装置と、要求によって所定領域が解錠されることに関連する所定の撮影開始タイミングで撮影装置による撮影を開始させ、要求によって所定領域が施錠されることに関連する所定の撮影終了タイミングで撮影装置による撮影を終了させる制御部と、撮影装置によって撮影された画像を送信する送信部と、を含むウェアラブルデバイスと、を備える。【選択図】図５
2019094167.tif 000002
【特許請求の範囲】
【請求項１】
車両内の所定領域を荷物の配送場所として利用する配送管理システムにおいて、
前記車両に設けられ、ユーザが使用する端末からの要求に応じて前記所定領域を施解錠する施解錠装置と、
前記荷物を配送するユーザが使用する端末であって、前記施解錠装置に対して前記所定領域の施解錠を要求する配送ユーザ端末と、
前記荷物を配送するユーザが携行するウェアラブルデバイスであって、撮影装置と、前記要求によって前記所定領域が解錠されることに関連する所定の撮影開始タイミングで前記撮影装置による撮影を開始させ、前記要求によって前記所定領域が施錠されることに関連する所定の撮影終了タイミングで前記撮影装置による撮影を終了させる制御部と、前記撮影装置によって撮影された画像を送信する送信部と、を含むウェアラブルデバイスと、
を備える配送管理システム。
【発明の詳細な説明】
【技術分野】
【０００１】
本発明は、車両の荷室を荷物の受け渡し場所とした配送管理システムに関する。
【背景技術】
【０００２】
近年、配送サービスの利用者と配送者との荷物の受け渡し効率的に行う手段として、利用者が指定する車両の荷室を荷物の受け渡し場所として利用する、配送システムの開発が進められている。例えば、特許文献１には、荷物を配送するユーザ（以下、配送ユーザともいう。）が荷物の配送を行う際に、該配送ユーザが使用する端末（以下、配送ユーザ端末ともいう。）と指定車両に搭載された車両用通信装置との間で認証処理を行わせ、その認証に成功すると、指定車両の施解錠が可能になるシステムが提案されている。
【先行技術文献】
【特許文献】
【０００３】
【特許文献１】特開２００６−２０６２２５号公報
【発明の概要】
【発明が解決しようとする課題】
【０００４】
ここで、上記したような配送システムにおいて、指定車両が解錠されると、配送ユーザが荷室にアクセス可能となるため、利用者がセキュリティ上の懸念を抱く虞がある。また、荷室と車室とが隔てられていないボディ構造を持つ車両や、荷室と車室とを隔てる隔壁の一部に連通口が設けられるボディ構造を持つ車両等では、荷室から車室へアクセスすることが可能であるため、利用者がセキュリティ上の懸念を抱く虞がある。
【０００５】
本発明は、上記したような種々の実情に鑑みてなされたものであり、その目的は、車両の荷室を荷物の受け渡し場所とした配送システムにおいて、セキュリティの向上に寄与することができる技術を提供することにある。
【課題を解決するための手段】
【０００６】
本発明の態様の一つは、車両内の所定領域を荷物の配送場所として利用する配送管理システムにおいて、前記車両に設けられ、ユーザが使用する端末からの要求に応じて前記所定領域を施解錠する施解錠装置と、前記荷物を配送するユーザが使用する端末であって、前記施解錠装置に対して前記所定領域の施解錠を要求する配送ユーザ端末と、前記荷物を配送するユーザが携行するウェアラブルデバイスであって、撮影装置と、前記要求によって前記所定領域が解錠されることに関連する所定の撮影開始タイミングで前記撮影装置による撮影を開始させ、前記要求によって前記所定領域が施錠されることに関連する所定の撮影終了タイミングで前記撮影装置による撮影を終了させる制御部と、前記撮影装置によって撮影された画像を送信する送信部と、を含むウェアラブルデバイスと、を備える配送管理システムである。
【発明の効果】
【０００７】
本発明によれば、車両の荷室を荷物の受け渡し場所として利用する配送管理システムにおいて、セキュリティの向上に寄与することができる。
【図面の簡単な説明】
【０００８】
【図１】実施形態に係る配送管理システムの概略構成を示す図である。
【図２】実施形態に係る配送管理システムの構成の一例を概略的に示すブロック図である。
【図３】車両における各装置の配置を示した概略図である。
【図４】配送時の動画撮影の流れを示したフローチャートである。
【図５】配送ユーザによる配送時の配送管理システムの動作のフローを示す図である。
【発明を実施するための形態】
【０００９】
以下、本発明の具体的な実施形態について図面に基づいて説明する。本実施形態に記載される構成部品の寸法、材質、形状、相対配置等は、特に記載がない限り発明の技術的範囲をそれらのみに限定する趣旨のものではない。なお、以下の実施形態は、可能な限り組み合わせることができる。
【００１０】
＜実施形態＞
＜システム概要＞
図１は、本実施形態に係る配送管理システム１の概略構成を示す図である。配送管理システム１は、荷物の配送作業を依頼する者と荷物の配送作業を依頼された者との間で当該依頼者の指定する車両１０の荷室（トランク・ルーム）を共有（シェア）することで、当該荷室を受け渡し場所とする配送サービスにおいて荷物を管理するシステムである。したがって、「荷物の配送作業を依頼する者」及び「荷物の配送作業を依頼された者」は、それぞれ車両１０の荷室を利用するユーザであるが、両者を区別するために、前者を「依頼ユーザ」と称し、後者を「配送ユーザ」と称する。また、上記荷室は、配送される荷物を配置可能であって、後述するように車載装置１０Ａによって施解錠されるように構成される、車両１０内の所定領域であり、後述するように車載装置１０Ａによって施解錠されるように構成される。なお、所定領域の一例としては、車両の荷室の他に、助手席等の車室空間であってもよい。
【００１１】
図１の例では、配送管理システム１は、車両１０に設置される車載装置１０Ａ、配送ユーザ端末２００、ウェアラブルデバイス２５０、依頼ユーザ端末５０、及びサーバ４００を含む。車載装置１０Ａ、配送ユーザ端末２００、依頼ユーザ端末５０、及びサーバ４００は、ネットワークＮ１によって相互に接続される。なお、ネットワークＮ１は、例えば、インターネット等の世界規模の公衆通信網でありＷＡＮ（Ｗｉｄｅ  Ａｒｅａ  Ｎｅｔｗｏｒｋ）やその他の通信網が採用されてもよい。また、ネットワークＮ１は、携帯電話等の電話通信網、ＷｉＦｉ等の無線通信網を含んでもよい。また、車載装置１０Ａは、近距離無線通信等を含むネットワークＮ２を介して、配送ユーザが使用する端末である配送ユーザ端末２００などに接続される。なお、配送管理システム１には、例示的に１つのサーバ４００が含まれているが、サーバは２台以上含まれてもよい。
【００１２】
サーバ４００は、依頼ユーザが使用する端末である依頼ユーザ端末５０から、配送の対象となる物品（以下、荷物とも言う）の登録を受け付ける。依頼ユーザは、例えば、電子商取引事業者により開設された商品購入サイトで購入した物品を荷物として配送ユーザに配送してもらう場合に、依頼ユーザ端末５０にインストールされた配送管理システム１によるサービスを利用するためのアプリケーションによって、その荷物に関する配送情報を、サーバ４００に登録することができる。配送情報は、例えば、依頼ユーザの識別情報や、配送のスケジュール情報、荷物のステータスに関する情報等を含む。当該ステータスに関する情報としては、荷物の配送が完了したか否か等の情報が例示できる。
【００１３】
サーバ４００は、依頼ユーザ端末５０から荷物の配送の依頼を受付けると、その配送場所が車両１０である場合、荷物を収容する車両１０の荷室を施解錠するための認証情報を配送ユーザ端末２００に送信する。サーバ４００は、配送情報に含まれる依頼ユーザの識別情報に基づいて、依頼ユーザの識別情報に対応付けられた車両１０の認証情報を、配送ユーザ端末２００に送信する。配送ユーザは、その配送ユーザ端末２００で受信した認証
情報を使用して車両１０の荷室を施解錠することで、荷物を配送するために車両１０の荷室にアクセスすることができる。ここで、認証情報は、配送ユーザ端末２００から近距離無線通信によって車載装置１０Ａに転送され、車載装置１０Ａによる認証処理を受けることで、車載装置１０Ａに車両１０の荷室の施解錠処理を実行させるデジタル情報である。また、車両１０の荷室の施解錠処理とは、荷物を収容する車両１０の荷室のドアを、詳細を後述する車載装置１０Ａによって施解錠する処理である。
【００１４】
図２は、本実施形態に係る配送管理システム１を構成する車載装置１０Ａ、配送ユーザ端末２００、ウェアラブルデバイス２５０、依頼ユーザ端末５０、サーバ４００のそれぞれの構成の一例を概略的に示すブロック図である。
【００１５】
車載装置１０Ａは、キーユニット１００、施解錠装置３００を含んで構成される。キーユニット１００は、スマートキーの電子キー（以下、携帯機）と同様の無線インターフェースを有しており、車載装置１０Ａが有する施解錠装置３００と通信を行うことで、物理的な鍵を用いることなく車両１０の荷室や車室の施解錠（以下、荷室と車室を区別する必要が無い場合には、単に「車両１０の施解錠」と言う場合もある）を行うことができる。また、キーユニット１００は、配送ユーザ端末２００等の携帯端末と近距離無線通信を行い、配送ユーザ端末２００を認証処理した結果に基づいて、自身が車両１０の電子キーとして振る舞うか否かを決定する。
【００１６】
配送ユーザ端末２００は、荷物の配送のために車両１０の荷室にアクセスする際に、当該荷室の施解錠をするための認証情報を、上記の通りサーバ４００に発行してもらう。そして、配送ユーザ端末２００からキーユニット１００に送信された認証情報は、キーユニット１００に予め記憶された認証情報と照合される。その認証処理が成功すると、配送ユーザ端末２００は、車載装置１０Ａを正当に作動させる端末として認証される。配送ユーザ端末２００が認証されると、キーユニット１００は、キーユニット１００に予め記憶され、認証情報と対応付けられた車両１０のキーＩＤを、施錠信号または解錠信号とともに施解錠装置３００に送信する。なお、以下の説明において、施錠信号と解錠信号を施解錠信号と総称する。施解錠信号という用語は、施錠信号と解錠信号の少なくともいずれかを表す。施解錠装置３００は、キーユニット１００から受信したキーＩＤが、施解錠装置３００に予め格納されるキーＩＤと一致する場合に車両１０を施解錠する。
【００１７】
ここで、施解錠装置３００の詳細について説明する。施解錠装置３００は、車両１０の車室や荷室のドアを施錠および解錠するための装置である。例えば、車両１０に対応する携帯機から、高周波（Radio Frequency，以下、ＲＦと称する）帯の電波を介して送信さ
れる施錠信号および解錠信号に応じて、車両１０のドアを施錠および解錠する。また、携帯機を検索するための、低周波（Low Frequency，以下、ＬＦと称する）帯の電波を送信
する機能を有している。
【００１８】
本実施形態では、上記の携帯機の代わりに、キーユニット１００が施解錠装置３００との間でＲＦ帯およびＬＦ帯の電波を送受信することで、車両１０のドアの施解錠を制御する。以降、断りがない限り、施解錠装置３００の通信先をキーユニット１００に限定して説明を行う。
【００１９】
施解錠装置３００は、ＬＦ送信機３０１、ＲＦ受信機３０２、照合ＥＣＵ３０３、ボディＥＣＵ３０４、ドアロックアクチュエータ３０５を含んで構成される。ＬＦ送信機３０１は、キーユニット１００を検索（ポーリング）するための低周波数帯（例えば、１００ＫＨｚ〜３００ＫＨｚ）の電波を送信する手段である。ＬＦ送信機３０１は、例えば、車室内のセンターコンソールやハンドルの近傍に内蔵される。ＲＦ受信機３０２は、キーユニット１００から送信された高周波数帯（例えば、１００ＭＨｚ〜１ＧＨｚ）の電波を受
信する手段である。ＲＦ受信機３０２は、車室内のいずれかの場所に内蔵される。
【００２０】
照合ＥＣＵ３０３は、キーユニット１００からＲＦ帯の電波を介して送信された信号（施錠信号または解錠信号）に基づいて、車両１０の車室や荷室のドアを施錠および解錠する制御を行うコンピュータである。照合ＥＣＵ３０３は、例えば、マイクロコンピュータによって構成される。
【００２１】
照合ＥＣＵ３０３は、キーユニット１００から送信された施解錠信号が、正当な装置から送信されたものであることを認証する。具体的には、施解錠信号に含まれるキーＩＤが、照合ＥＣＵ３０３が有する不図示の記憶部に予め記憶されたキーＩＤと一致するか否かを判定する。そして、照合ＥＣＵ３０３は、この判定の結果に基づいて、ボディＥＣＵ３０４に解錠指令または施錠指令を送信する。この解錠指令または施錠指令は、ＣＡＮ（Controller Area Network）等の車内ネットワークを介して送信される。
【００２２】
図３は、車両１０における各装置の配置を示した概略図である。ドアロックアクチュエータ３０５は、車両１０のドア（乗車空間たる車室への乗り降りの際に開閉される車室ドアや、荷室１５への荷物の積み卸しの際に開閉される荷室ドア１６）を施錠及び解錠するアクチュエータである。ドアロックアクチュエータ３０５は、ボディＥＣＵ３０４から送信された信号に基づいて動作する。図３には、荷室ドア１６を施錠及び解錠するドアロックアクチュエータ３０５を示している。
【００２３】
ボディＥＣＵ３０４は、車両１０のボディ制御を行うコンピュータである。ボディＥＣＵ３０４は、照合ＥＣＵ３０３から受信した解錠指令または施錠指令に基づいてドアロックアクチュエータ３０５を制御することで、車両１０の車室ドアや荷室ドア１６の解錠および施錠を同時に又は独立して行う機能を有している。なお、照合ＥＣＵ３０３とボディＥＣＵ３０４とは一体のものであってもよい。
【００２４】
次に、キーユニット１００について説明する。キーユニット１００は、車両１０の車室内の所定の位置（例えばグローブボックス内）に配置された装置である。キーユニット１００は、配送ユーザ端末２００等と近距離無線通信を行って該配送ユーザ端末２００を認証する機能と、この認証結果に基づいて、ＲＦ帯の電波を用いて施解錠信号を送信する機能を有している。キーユニット１００は、ＬＦ受信機１０１、ＲＦ送信機１０２、近距離通信部１０３、制御部１０４を有して構成される。
【００２５】
ＬＦ受信機１０１は、施解錠装置３００から、ＬＦ帯の電波を介して送信されたポーリング信号を受信する手段である。ＬＦ受信機１０１は、ＬＦ帯の電波を受信するためのアンテナ（以下、ＬＦアンテナ）を有している。ＲＦ送信機１０２は、ＲＦ帯の電波を介して、施解錠装置３００に対して施解錠信号を送信する手段である。
【００２６】
近距離通信部１０３は、配送ユーザ端末２００と通信を行う手段である。近距離通信部１０３は、所定の無線通信規格を用いて、近距離（車室内と車室外で通信が行える程度）における通信を行う。本実施形態では、近距離通信部１０３は、Ｂｌｕｅｔｏｏｔｈ（登録商標）ＬｏｗＥｎｅｒｇｙ規格（以下、ＢＬＥ）によるデータ通信を行う。ＢＬＥとは、Ｂｌｕｅｔｏｏｔｈによる低電力通信規格であり、機器同士のペアリングを必要とせず、相手を検知することですぐに通信を開始できるという特徴を有する。なお、本実施形態ではＢＬＥを例示するが、他の無線通信規格も利用可能である。例えば、ＮＦＣ（Near Field Communication）、ＵＷＢ（Ultra Wideband）、ＷｉＦｉ（登録商標）などを利用することもできる。
【００２７】
制御部１０４は、近距離通信部１０３を介して配送ユーザ端末２００と近距離無線通信
を行い、配送ユーザ端末２００を認証する制御と、認証結果に基づいて施解錠信号を送信する制御を行うコンピュータである。制御部１０４は、例えば、マイクロコンピュータによって構成される。
【００２８】
制御部１０４は、記憶部１０４１および認証部１０４２を有している。記憶部１０４１には、キーユニット１００を制御するための制御プログラムが記憶されている。制御部１０４は、記憶部１０４１に記憶されている制御プログラムを不図示のＣＰＵによって実行することで、認証部１０４２を含む種々の機能を実現してもよい。例えば、制御部１０４は、施解錠装置３００からＬＦ帯の電波として送信されたポーリング信号をＬＦ受信機１０１を介して受信する機能、施解錠装置３００にＲＦ帯の電波として施解錠信号をＲＦ送信機１０２を介して送信する機能、近距離通信部１０３を介して行う配送ユーザ端末２００との通信を処理する機能、認証部１０４２による配送ユーザ端末２００の認証が成功した場合に施解錠信号を生成する機能等を実現する。
【００２９】
認証部１０４２は、配送ユーザ端末２００から送信された施錠要求または解錠要求（以下、施解錠要求と総称する）に含まれる認証情報に基づいて、配送ユーザ端末２００の認証を行う。具体的には、記憶部１０４１に記憶された認証情報と、配送ユーザ端末２００から送信された認証情報とを比較し、これらが所定の関係にある場合に、認証成功と判断する。双方の認証情報が所定の関係を満たさない場合、認証失敗と判断する。ここで、所定の関係とは、記憶部１０４１に記憶された認証情報と、配送ユーザ端末２００から送信された認証情報とが一致する場合のほか、２つの認証情報を用いた所定の暗号化・複合化等の処理結果が一致する場合、２つの認証情報の一方に復号処理を行った結果が他方に一致する場合等を含む。
【００３０】
認証部１０４２が配送ユーザ端末２００の認証に成功した場合、配送ユーザ端末２００から受信した要求に応じて生された施解錠信号がＲＦ送信機１０２を介して施解錠装置３００へ送信される。以降、説明の必要に応じて、キーユニット１００に記憶される認証情報を装置認証情報、配送ユーザ端末２００等から送信される認証情報を端末認証情報と称するものとする。
【００３１】
また、キーユニット１００は、施解錠信号とともに、上記のキーＩＤを施解錠装置３００に送信する。キーＩＤは、平文の状態で予めキーユニット１００に記憶されていてもよいし、配送ユーザ端末２００等に固有な暗号によって暗号化した状態で記憶されていてもよい。キーＩＤが暗号化した状態で記憶される場合、配送ユーザ端末２００等から送信された認証情報によって暗号化されたキーＩＤを復号し、本来のキーＩＤを得るようにしてもよい。
【００３２】
このように、車載装置１０Ａは、配送ユーザ端末２００から送信された認証情報を起点として、キーユニット１００による認証処理を経て施解錠装置３００を作動させて、車両１０の車室や荷室を施解錠する一連の処理を実行する。
【００３３】
次に、配送ユーザ端末２００について説明する。配送ユーザ端末２００は、例えば、スマートフォン、携帯電話、タブレット端末、個人情報端末、ウェアラブルコンピュータ（スマートウォッチ等）といった小型のコンピュータである。なお、配送ユーザ端末２００は、公衆通信網であるインターネット等のネットワークＮ１を介してサーバ４００に接続される、パーソナルコンピュータ（Ｐｅｒｓｏｎａｌ  Ｃｏｍｐｕｔｅｒ、ＰＣ）であってもよい。配送ユーザ端末２００は、近距離通信部２０１、通信部２０２、制御部２０３、入出力部２０４を有して構成される。
【００３４】
近距離通信部２０１は、キーユニット１００の近距離通信部１０３と同一の通信規格に
よって、キーユニット１００との間で通信を行う手段である。近距離通信部２０１とキーユニット１００との間に形成されるネットワークが、図１においてＮ２で表されている。そして、通信部２０２は、配送ユーザ端末２００をネットワークＮ１に接続するための通信手段である。本実施形態では、３Ｇ（3rd Generation）やＬＴＥ（Long Term Evolution）等の移動体通信サービスを利用して、ネットワークＮ１経由で他の装置（例えばサー
バ４００等）と通信を行うことができる。
【００３５】
制御部２０３は、配送ユーザ端末２００の制御を司るコンピュータである。制御部２０３は、例えば、上述した端末認証情報を取得する処理、取得された端末認証情報を含む施解錠要求を生成する処理、生成された施解錠要求をキーユニット１００に送信する処理、後述する画像データをサーバ４００へ送信する処理などを行う。なお、制御部２０３は、例えば、マイクロコンピュータによって構成されており、記憶手段（ＲＯＭ等）に記憶されたプログラムをＣＰＵ（いずれも不図示）によって実行させることで上記した各種処理を行うための機能が実現される。
【００３６】
また、制御部２０３は、入出力部２０４を介して配送ユーザとのインタラクションを行う。入出力部２０４は、配送ユーザが行った入力操作を受け付け、配送ユーザに対して情報を提示する手段である。具体的には、タッチパネルとその制御手段、液晶ディスプレイとその制御手段から構成される。タッチパネル及び液晶ディスプレイは、本実施形態では一つのタッチパネルディスプレイからなる。
【００３７】
制御部２０３は、入出力部２０４に操作画面を表示し、配送ユーザが行った操作に応じた施解錠要求を生成する。例えば、制御部２０３は、タッチパネルディスプレイに、解錠を行うためのアイコン、施錠を行うためのアイコン等を出力し、配送ユーザによって行われた操作に基づいて、解錠要求ないし施錠要求を生成する。なお、配送ユーザが行う操作は、タッチパネルディスプレイを介したものに限られない。例えば、ハードウェアスイッチ等によるものであってもよい。
【００３８】
また、制御部２０３は、サーバ４００から端末認証情報を取得する処理を行う。なお、端末認証情報は、施解錠装置３００がキーユニット１００を認証するための情報（キーＩＤ）ではなく、キーユニット１００が配送ユーザ端末２００を認証するための情報（例えば、車両１０に搭載されるキーユニット１００に固有の認証情報に対応する認証情報）である。具体的には、制御部２０３が、通信部２０２を介して、端末認証情報の発行要求を、サーバ４００に送信する。ここでいう「端末認証情報の発行要求」には、配送ユーザ端末２００の識別情報とキーユニット１００に固有な端末認証情報の発行を要求する信号とが含まれる。端末認証情報の発行要求を受信したサーバ４００は、車両１０に搭載されているキーユニット１００に固有な端末認証情報を取得し、取得した端末認証情報を配送ユーザ端末２００に送信する。これにより、配送ユーザ端末２００上において、車両１０を解錠する操作が可能になる。
【００３９】
本実施形態において配送ユーザ端末２００が取得する端末認証情報は、配送ユーザの配送作業の終了に伴う荷室ドア１６の施錠をトリガにして無効化される、ワンタイムキーである。なお、端末認証情報は、上記したようなワンタイムキーに限定されるものではなく、所定の時間帯のみ有効となる限定的なキーであってもよい。そして、端末認証情報がワンタイムキーであるか、又は限定的なキーであるかにかかわらず、該端末認証情報に対応する装置認証情報が、キーユニット１００に事前に記憶されるものとする。
【００４０】
次に、ウェアラブルデバイス２５０について説明する。ウェアラブルデバイス２５０は、例えば、メガネ、帽子、服などに装着されることにより配送ユーザが携行可能に構成されており、近距離通信部２５１、制御部２５２、撮影装置２５３を含んで構成される。近
距離通信部２５１は、配送ユーザ端末２００の近距離通信部２０１と同一の通信規格によって、配送ユーザ端末２００との間で通信を行う手段である。撮影装置２５３は、配送ユーザが荷物を配送する際に荷室１５に荷物を配置したことが撮影した画像から判別可能なような位置及び向きに設けられている。撮影装置２５３は、例えばＣＣＤ（Charge Coupled Device）イメージセンサまたはＣＭＯＳ（Complementary Metal Oxide Semiconductor）イメージセンサなどの撮像素子を用いて撮影を行うカメラである。撮影により得られる画像は、静止画または動画の何れであってもよいが、本実施形態では撮影装置２５３が動画を撮影するものとする。制御部２５２は、撮影装置２５３による撮影、及び、近距離通信部２５１による通信を制御する。撮影装置２５３によって撮影された画像は、制御部２５２によって近距離通信部２５１を介して配送ユーザ端末２００へ送られ、さらに、配送ユーザ端末２００からサーバ４００へ送られる。そして、この画像は、後述するサーバ４００の記憶部４０４に記憶される。なお、ウェアラブルデバイス２５０と配送ユーザ端末２００は一体のものであってもよい。
【００４１】
また、依頼ユーザ端末５０は、配送ユーザ端末２００と同様に、例えば、スマートフォン、携帯電話、タブレット端末、個人情報端末、ウェアラブルコンピュータ（スマートウォッチ等）といった小型のコンピュータであってもよく、パーソナルコンピュータであってもよい。依頼ユーザ端末５０は、配送ユーザ端末と同様にして、荷室ドア１６の施解錠が可能である。
【００４２】
サーバ４００は、通信部４０１を有する。通信部４０１は、他の装置と接続し、サーバ４００と他の装置（例えば、配送ユーザ端末２００等）との間の通信を行う。通信部４０１は、例えば、ＬＡＮ（Local Area Network）インターフェースボード、無線通信のための無線通信回路である。ＬＡＮインターフェースボードや無線通信回路は、公衆通信網であるインターネット等のネットワークＮ１に接続される。
【００４３】
更に、サーバ４００は、その補助記憶部に、各種情報を格納するＤＢ４０３（データベース）を有している。ＤＢ４０３には、依頼ユーザＩＤ、配送日時、配送場所、配送ステータス、荷物属性、などが格納される。ＤＢ４０３では依頼ユーザと配送情報の紐付けが行われている。また、ＤＢ４０３には、依頼ユーザと、対応する配送場所としての車両１０とを紐付けた車両管理情報も格納される。そして、制御部４０２は、依頼ユーザに紐付けられた配送情報と車両管理情報に基づいて、配送ユーザが荷物を車両１０に配送できるように、その配送ユーザ端末２００に対して配送の指示を送信する。
【００４４】
更に、ＤＢ４０３は、車両１０を利用するユーザ（例えば、荷物を車両１０に配送等する配送ユーザや、配送された荷物を回収する依頼ユーザ）の識別情報と、対応するパスワード等を格納する。また、ＤＢ４０３は、端末認証情報に相当する、車両１０の認証情報を格納する。車両１０の認証情報は、車両１０の識別情報（キーＩＤ）に対応づけられた情報であり、例えば、車載装置１０Ａが有するキーユニット１００に固有の識別情報とすることができる。
【００４５】
また、制御部４０２は、車両１０を施解錠するための認証情報の発行を管理する。詳細には、制御部４０２は、配送ユーザ端末２００から、車両１０を施解錠するための認証情報の送信要求を受付ける。制御部４０２は、認証情報の送信要求とともに、認証情報の送信先である配送ユーザ端末２００の情報を受信する。制御部４０２は、キーユニット１００に対応する認証情報（端末認証情報）を、配送ユーザ端末２００に送信する。また、制御部４０２は、ウェアラブルデバイス２５０の撮影装置２５３で撮影され、配送ユーザ端末２００を介して送られた画像を記憶部４０４に記憶する。
【００４６】
次に、本実施形態に係るウェアラブルデバイス２５０の撮影動作について説明する。ウ
ェアラブルデバイス２５０の制御部２５２は、配送ユーザ端末２００が車載装置１０Ａに施解錠要求を行うことに伴って、撮影装置２５３による動画撮影を行う。詳細には、配送ユーザ端末２００の制御部２０３がキーユニット１００に対して解錠要求を行うことに伴って、配送ユーザ端末２００の制御部２０３が動画撮影を開始する通知をウェアラブルデバイス２５０に送信する。この通知を近距離通信部２５１が受けると、ウェアラブルデバイス２５０の制御部２５２は、撮影装置２５３に動画撮影を開始する信号を送る。この信号を受けた撮影装置２５３は、動画の撮影を開始する。その後、配送ユーザ端末２００の制御部２０３がキーユニット１００に対して施錠要求を行うことに伴って、配送ユーザ端末２００の制御部２０３が動画撮影を終了する通知をウェアラブルデバイス２５０に送信する。この通知を近距離通信部２５１が受けると、ウェアラブルデバイス２５０の制御部２５２は、撮影装置２５３に動画撮影を終了させる信号を送る。この信号を受けた撮影装置２５３は撮影を終了する。また、制御部２５２は、撮影装置２５３が撮影した動画を、画像データとして配送ユーザ端末２００へ送る。この画像データは、さらに配送ユーザ端末２００によってサーバ４００へ送られる。このようにウェアラブルデバイス２５０の制御部２５２が撮影装置２５３を制御することにより、本発明に係る「制御部」が実現される。また、近距離通信部２５１が画像データを送ることにより、本発明に係る「送信部」が実現される。
【００４７】
サーバ４００では、通信部４０１によって画像データを受け取った後、制御部４０２が、この画像データを記憶部４０４に記憶させておく。この画像データは、例えば依頼ユーザの要求があったときに依頼ユーザ端末５０に送信してもよい。少なくとも画像データを記憶部４０４に記憶しておくことにより、配送時の様子を示す証拠を残しておくことができる。
【００４８】
図４は、配送時の動画撮影の流れを示したフローチャートである。図４に示したフローチャートは、ウェアラブルデバイス２５０において実行される。ステップＳ１０１では、制御部２５２が、配送ユーザ端末２００から撮影開始通知があったか否か判定する。撮影開始通知は、配送ユーザ端末２００からキーユニット１００に対して解錠要求を行うことに伴ってなされる通知であり、配送ユーザ端末２００からウェアラブルデバイス２５０に対して動画撮影を開始することを指示する通知である。本ステップＳ１０１では、撮影装置２５３による撮影の開始タイミングであるか否か制御部２５２が判定している。ステップＳ１０１で否定判定がなされた場合には、本フローチャートを終了させる。一方、ステップＳ１０１で肯定判定がなされた場合には、ステップＳ１０２へ進んで、制御部２５２が撮影装置２５３を制御することにより動画の撮影を開始する。
【００４９】
次に、ステップＳ１０３では、制御部２５２が、配送ユーザ端末２００から撮影終了通知があったか否か判定する。撮影終了通知は、配送ユーザ端末２００からキーユニット１００に対して施錠要求を行うことに伴ってなされる通知であり、配送ユーザ端末２００からウェアラブルデバイス２５０に対して動画撮影を終了することを指示する通知である。本ステップＳ１０３では、撮影装置２５３による動画の撮影の終了タイミングであるか否か制御部２５２が判定している。ステップＳ１０３で否定判定がなされた場合には、撮影装置２５３による動画の撮影が継続され、一方、肯定判定がなされた場合には、ステップＳ１０４へ進む。
【００５０】
ステップＳ１０４では、制御部２５２が、撮影装置２５３を制御して動画の撮影を終了させると共に、撮影装置２５３が撮影した動画を近距離通信部２５１を介して配送ユーザ端末２００へ送る。このようにして配送ユーザ端末２００へ送られた画像は、さらに、サーバ４００へ送られ、サーバ４００に記憶される。
【００５１】
次に、配送ユーザによる配送時の配送管理システム１の動作について図５に基づいて説
明する。図５に示すフローでは、依頼ユーザからの配送依頼に従いその荷物を配送するために、配送ユーザが車両１０の近くに到達したときに、Ｓ１１の処理、すなわち、配送ユーザ端末２００からサーバ４００に認証情報の発行要求が実行される。そして、サーバ４００は、配送情報に含まれる依頼ユーザの識別情報に基づいて、依頼ユーザの識別情報に対応付けられた車両１０の認証情報を発行する（Ｓ１２の処理）。
【００５２】
そして、Ｓ１３では、発行された認証情報が、配送ユーザ端末２００に送信される。このようにしてサーバ４００から送信された認証情報が配送ユーザ端末２００によって受信されると、該配送ユーザ端末２００による車両１０の荷室１５の施解錠操作が可能になる。
【００５３】
次に、Ｓ２１〜Ｓ２４では、配送ユーザ端末２００を用いて車両１０の荷室１５を解錠するための処理が行われる。Ｓ２１からＳ２４の処理が行われるにあたり、配送ユーザ端末２００は、配送ユーザによって、車両１０のキーユニット１００と配送ユーザ端末２００との間の近距離無線通信が成立する位置に移動させられているものとする。
【００５４】
配送ユーザが配送ユーザ端末２００の入出力部２０４を介して車両１０を解錠する操作を行うと、Ｓ２１において、配送ユーザ端末２００が、キーユニット１００に対して認証情報を含む解錠要求を送信する。そして、配送ユーザ端末２００から送信された解錠要求がキーユニット１００によって受信されると、Ｓ２２において、キーユニット１００が、解錠要求に含まれる認証情報（端末認証情報）と記憶部１０４１に記憶された認証情報（装置認証情報）とを比較することで、認証処理が行われる。両認証情報の認証に成功すると、Ｓ２３において、キーユニット１００が、施解錠装置３００に対して、解錠信号及びキーＩＤを送信する。キーユニット１００から送信された解錠信号及びキーＩＤが施解錠装置３００によって受信されると、Ｓ２４において、施解錠装置３００が、受信したキーＩＤに基づいて認証処理を行う。この結果、認証に成功した場合、車両１０の荷室１５が解錠される。なおこの際、施解錠装置３００は、キーユニット１００に対してアンサーバック等を行ってもよい。
【００５５】
Ｓ３１〜Ｓ３８では、配送ユーザ端末２００を用いて車両１０を施錠するための処理、及び当該施錠に関連する処理が行われる。配送ユーザが解錠処理により荷室ドア１６を開扉させ、所定の配送作業を行った後に、荷室ドア１６を閉扉させ、配送ユーザ端末２００の入出力部２０４を介して車両１０を施錠する操作を行うと、Ｓ３１において、配送ユーザ端末２００が、キーユニット１００に対して認証情報を含む施錠要求を送信する。配送ユーザ端末２００から送信された施錠要求がキーユニット１００によって受信されると、Ｓ３２において、キーユニット１００が、配送ユーザ端末２００から送信された施錠要求に含まれる認証情報（端末認証情報）と記憶部１０４１に記憶された認証情報（装置認証情報）とを比較することで、認証処理が行われる。両認証情報の認証に成功すると、Ｓ３３において、キーユニット１００が、施解錠装置３００に対して施錠信号及びキーＩＤを送信する。キーユニット１００から送信された施錠信号及びキーＩＤが施解錠装置３００によって受信されると、Ｓ３４において、施解錠装置３００が、受信したキーＩＤに基づいて認証処理を行う。この結果、認証に成功した場合、車両１０の荷室１５が施錠される。また、キーユニット１００は、施解錠装置３００に対する施錠信号を送信した後に、配送ユーザ端末２００に対して施錠が完了した旨の通知（施錠通知）を送信する（Ｓ３５の処理）。これにより、配送ユーザ端末２００のタッチパネルスクリーン上に、施錠が完了した旨の通知が出力される。更に、配送ユーザ端末２００は、施錠通知をサーバ４００に送信する。
【００５６】
Ｓ２１において配送ユーザ端末２００からキーユニット１００へ解錠要求の信号が送信されると、その後に、配送ユーザ端末２００からウェアラブルデバイス２５０へ撮影開始
を通知する信号が送られる（Ｓ４１）。この信号は、ウェアラブルデバイス２５０において撮影を開始するトリガとなる。撮影開始を通知する信号を受けたウェアラブルデバイス２５０では、撮影装置２５３による撮影が開始される（Ｓ４２）。一方、Ｓ３１において配送ユーザ端末２００からキーユニット１００へ施錠要求の信号が送信されると、その後に、配送ユーザ端末２００からウェアラブルデバイス２５０へ撮影終了を通知する信号が送られる（Ｓ４３）。この信号は、ウェアラブルデバイス２５０において撮影を終了するトリガとなる。撮影終了を通知する信号を受けたウェアラブルデバイス２５０では、撮影装置２５３による撮影が終了される（Ｓ４４）される。そして、撮影が終了すると、ウェアラブルデバイス２５０が配送ユーザ端末２００へ画像データを送信し（Ｓ４５）、更に、配送ユーザ端末２００がサーバ４００へ画像データを送信する（Ｓ４６）。そして、画像データを受けたサーバ４００は、記憶部４０４に画像を記憶させる（Ｓ４７）。
【００５７】
本実施形態では、配送ユーザ端末２００からキーユニット１００へ解錠要求が送信されることに伴って撮影装置２５３による撮影が開始されるため、この撮影開始のタイミングは、本発明における所定の撮影開始タイミングに相当する。また、配送ユーザ端末２００からキーユニット１００へ施錠要求が送信されることに伴って撮影装置２５３による撮影が終了されるため、この撮影終了のタイミングは、本発明における所定の撮影終了タイミングに相当する。ここで、配送ユーザが荷室１５以外にアクセス可能な期間は、荷室１５が解錠されてから施錠されるまでの期間である。この期間に撮影装置２５３によって動画を撮影しておき、この動画を送信及び記憶しておけば、この動画に基づいて配送時の様子を確認することが可能である。
【００５８】
なお、撮影装置２５３による動画の撮影を開始するタイミング（所定の撮影開始タイミング）及び動画の撮影を終了するタイミング（所定の撮影終了タイミング）は、上記説明したタイミングに限らない。例えば、撮影装置２５３による撮影を終了するタイミングは、キーユニット１００から配送ユーザ端末２００に対して施錠通知（Ｓ３５参照）が送られたタイミングとしてもよい。この場合、ウェアラブルデバイス２５０がキーユニット１００から直接施錠通知を受けてもよいし、配送ユーザ端末２００を介して施錠通知を受けてもよい。ここで、配送ユーザ端末２００からキーユニット１００に対して施錠要求が送信された場合には、通常はすぐに荷室１５が施錠されるが、一方で通信トラブル等によってキーユニット１００に施錠要求が届かない場合もある。これに対して、キーユニット１００から施錠通知があれば、施解錠装置３００によって荷室１５が確実に施錠されているため、このときに動画の撮影を終了させれば、荷室１５が確実に施錠された後に動画の撮影を終了させることができる。
【００５９】
また、荷室ドア１６が開扉されたタイミングを所定の撮影開始タイミングとしてもよいし、荷室ドア１６が閉扉されたタイミングを所定の撮影終了タイミングとしてもよい。この場合、荷室ドア１６に、荷室ドア１６が開扉及び閉扉されたこと検知するドアスイッチを設けておく。さらに、ドアスイッチによって荷室ドア１６が開扉または閉扉されたことが検知された場合には、その旨を車載装置１０Ａが配送ユーザ端末２００またはウェアラブルデバイス２５０へ通知するように構成しておく。この通知に基づいて撮影装置２５３による撮影を行う。すなわち、荷室ドア１６が開扉された通知をウェアラブルデバイス２５０が受けたときに撮影装置２５３による撮影を開始し、荷室ドア１６が閉扉された通知をウェアラブルデバイス２５０が受けたときに撮影装置２５３による撮影を終了してもよい。ここで、施解錠装置３００による解錠から配送ユーザによって荷室ドア１６が開扉されるまでは配送ユーザが車室内にアクセスできないため、その間に撮影された画像の重要性は低い。そのため、荷室ドア１６が開扉されたことを撮影開始のトリガとしても問題はない。また、配送ユーザによって荷室ドア１６が閉扉されてから施解錠装置３００による施錠までは配送ユーザが車室内にアクセスできないため、その間に撮影された画像の重要性は低い。そのため、荷室ドア１６が閉扉されたことを撮影終了のトリガとしても問題は
ない。そして、施解錠装置３００による解錠によってドアの開扉が可能となるため、ドアの開扉は、所定領域が解錠されることに関連する所定の撮影開始タイミングといえる。また、ドアの閉扉によって施解錠装置３００による施錠が可能となるため、ドアの閉扉は、所定領域が施錠されることに関連する所定の撮影終了タイミングといえる。
【００６０】
また、撮影装置２５３が撮影する画像は、動画に代えて静止画であってもよい。この静止画は、所定の撮影開始タイミングから所定の撮影終了タイミングまで、所定の間隔で撮影してもよい。また、撮影装置２５３によって撮影された画像を記憶するのは、サーバ４００に限らず、配送ユーザ端末２００であってもよく、依頼ユーザ端末５０であってもよい。依頼ユーザ端末５０へ画像を記憶させる場合には、サーバ４００を介して画像データを依頼ユーザ端末５０へ送ってもよい。
【００６１】
以上説明したように本実施形態によれば、車両１０の荷室１５を荷物の受け渡し場所として利用する配送管理システム１において、撮影装置２５３により撮影された画像を送信しておくことにより、配送時の画像を証拠として残しておくことができる。この画像によって、例えば、荷物が正しく配置されたか、荷室１５から持ち出された物はないか、荷室１５以外への侵入がないか等を確認することができる。また、撮影装置２５３を配送ユーザが身に着けているため、車両１０に撮影装置を設置する必要がない。したがって、撮影装置を備えていない車両１０であっても、配送ユーザの行動を監視することができる。また、配送ユーザが撮影装置２５３を操作することなく配送の様子を撮影することができるため、配送ユーザが恣意的な画像を撮影したり、配送ユーザが撮影を忘れたりすることを抑制できる。このようにして、セキュリティの向上に寄与することができる。
【符号の説明】
【００６２】
１  配送管理システム
１０  車両
１０Ａ  車載装置
１５  荷室
１６  荷室ドア
５０  依頼ユーザ端末
１００  キーユニット
２００  配送ユーザ端末
２５０  ウェアラブルデバイス
２５１  近距離通信部
２５２  制御部
２５３  撮影装置
３００  施解錠装置
４００  サーバ
【図１】
2019094167.tif 000003
【図２】
2019094167.tif 000004
【図３】
2019094167.tif 000005
【図４】
2019094167.tif 000006
【図５】
2019094167.tif 000007